(57)【要約】【課題】発光装置等において、反射部の光源付近で反射した光に起因する輝度ムラの発生を抑制する。【解決手段】発光モジュール４０ａは、配線基板４２における発光部４１の取り付け面側に固定され、発光部４１から出射された光を拡散板１２側に向けて反射する反射板４４と、発光部４１から反射板４４側へと進行する光の光量を調整する吸収部４６とを備える。そして、発光モジュール４０ａでは、吸収部４６によって、発光部４１から照射されて反射板４４側へと進行する光の一部を吸収し、残りの光を拡散板１２側へと反射することによって、輝度ムラの発生を抑制している。【選択図】図６
2010108900.tif 000002
【特許請求の範囲】
【請求項１】
画像表示を行う表示パネルと、当該表示パネルの背面に設けられ当該表示パネルの背面から光を照射する発光装置とを備える表示装置であって、
前記発光装置は、
一端側から他端側へと延びて展開されるフレームと、
前記フレームに配置される発光モジュールとを有し、
前記発光モジュールは、
前記一端側から前記他端側に向けて光を照射する発光部と、
前記発光部の前記フレーム側に設けられ、当該発光部から照射される光を前記表示パネル側に向けて反射する反射部と、
前記発光部の前記他端側であって前記反射部よりも前記一端側に設けられ、マンセル表色系の明度で規定される値がＮ５以上Ｎ７以下である無彩色を呈し、当該発光部から照射される光の一部を反射する反射調整部と
を備えることを特徴とする表示装置。
【請求項２】
前記表示パネルと前記反射調整部との間に設けられ、前記発光部から照射されて当該表示パネル側へと向かう光の一部を透過する透過調整部をさらに備えることを特徴とする請求項１記載の表示装置。
【請求項３】
前記反射部は、
前記発光部の前記フレーム側にて、当該フレームに沿って展開され、当該発光部から照射される光を前記表示パネル側に向けて反射する第１の反射部と、
前記発光部の前記フレーム側にて、当該発光部から離れるに従って前記表示パネル側に近づく方向に傾斜し、当該発光部から照射される光を当該表示パネル側に向けて反射する第２の反射部と
を備えることを特徴とする請求項１又は２記載の表示装置。
【請求項４】
前記発光モジュールは、前記フレームに複数設けられ、
前記複数の発光モジュールは、前記一端側から前記他端側に向かう方向に並べて配置されることを特徴とする請求項１乃至３のいずれか一項に記載の表示装置。
【請求項５】
前記発光部は、発光素子と、当該発光素子を取り付ける基台とを有し、
前記基台の前記発光素子が取り付けられる側の面は、マンセル表色系の明度で規定される値がＮ５以上Ｎ７以下である無彩色を呈し、当該発光素子から照射される光の一部を反射することを特徴とする請求項１乃至４のいずれか１項に記載の表示装置。
【請求項６】
前記基台は、配線パターンが形成された配線基板であり、
前記配線基板の前記発光素子が取り付けられる側の面が、前記無彩色を呈することを特徴とする請求項５記載の表示装置。
【請求項７】
前記基台は、樹脂にて構成され、前記発光素子を載せる樹脂ケースであり、
前記樹脂ケースの表面が前記無彩色を呈することを特徴とする請求項５に記載の表示装置。
【請求項８】
一端側から他端側へと延びて展開されるフレームと、
前記フレームに配置される発光モジュールとを有し、
前記発光モジュールは、
前記一端側から前記他端側に向けて光を照射する発光部と、
前記発光部の前記フレーム側に設けられ、当該発光部から照射される光を当該フレームとは逆側に向けて反射する反射部と、
前記発光部の前記他端側であって前記反射部よりも前記一端側に設けられ、マンセル表色系の明度で規定される値がＮ５以上Ｎ７以下である無彩色を呈し、当該発光部から照射される光の一部を反射する反射調整部と
を備えることを特徴とする発光装置。
【請求項９】
前記発光部を挟んで前記反射調整部と対向するように設けられ、当該発光部から照射される光の一部を透過する透過調整部をさらに備えることを特徴とする請求項８記載の発光装置。
【請求項１０】
前記反射部は、
前記発光部の前記フレーム側にて、当該フレームに沿って展開され、当該発光部から照射される光を当該フレームと逆側に向けて反射する第１の反射部と、
前記発光部の前記フレーム側にて、当該発光部から離れるに従って前記フレームから遠ざかる方向に傾斜し、当該発光部から照射される光を当該フレームと逆側に向けて反射する第２の反射部と
を備えることを特徴とする請求項８又は９記載の発光装置。
【請求項１１】
前記発光モジュールは、前記フレームに複数設けられ、
前記複数の発光モジュールは、前記一端側から前記他端側に向かう方向に並べて配置されることを特徴とする請求項８乃至１０のいずれか１項記載の発光装置。
【請求項１２】
前記発光部は、発光素子と、当該発光素子を取り付ける基台とを有し、
前記基台の前記発光素子が取り付けられる側の面は、マンセル表色系の明度で規定される値がＮ５以上Ｎ７以下である無彩色を呈し、当該発光素子から照射される光の一部を反射することを特徴とする請求項８乃至１１のいずれか１項記載の発光装置。
【請求項１３】
一端側から他端側へと延びて展開されるフレームと、
前記フレームに配置される発光モジュールとを有し、
前記発光モジュールは、
前記一端側から前記他端側に向けて光を照射する発光部と、
前記発光部の前記フレーム側に設けられ、当該発光部から照射される光を当該フレームとは逆側に向けて反射する反射部と、
前記発光部の前記他端側であって前記反射部よりも前記一端側に設けられ、前記発光部から照射される光に対する反射率が、当該反射部よりも低く且つ２０％以上４０％以下に設定される低反射部と
を備えることを特徴とする発光装置。
【発明の詳細な説明】
【技術分野】
【０００１】
本発明は、画像表示を行う表示装置及び発光装置に関する。
【背景技術】
【０００２】
液晶テレビや液晶モニタ等に代表される表示装置では、表示パネルの背面から光を照射する発光装置（バックライト）が設けられる。
このバックライトとしては、例えば表示パネルの直下（背面）に平面状に光源を配置するいわゆる直下型が知られている。この直下型のバックライトは、高輝度を確保できる点で優れているが、光源が配置されている直上が周囲と比較して明るくなるため、輝度ムラが発生し易くなる。また、混色を促進するために光源から表示パネル等の被照射物までの光路長をある程度確保する必要がある。そのため、直下型のバックライトは、装置の厚みが厚くなりやすい。
【０００３】
また、導光板の二辺または一辺にのみ光源を設置し、導光板に入射させた光を導光板の裏面に設けた反射部によって反射させて例えば表示パネル面に光を照射させるいわゆるエッジライト型のバックライトも存在する。このエッジライト型のバックライトは、光源から表示パネル等の被照射物までの光路長を確保しやすいため、例えば直下型と比較して、装置を薄型にすることができるという利点がある。しかしながら、エッジライト型のバックライトでは、光源を置ける位置がバックライトの側部に限られているため、例えば４０インチサイズ以上の大型の液晶ディスプレイ装置等の表示装置においては、光源から遠い側にて光量が低下して輝度ムラが発生しやすくなる。
【０００４】
さらに、例えば大型の液晶ディスプレイ装置等の表示装置のバックライトに導光板を設けようとする場合、導光板のサイズも付随して大きくなる。そして、導光板のサイズが大きくなるに従って、導光板の強度が低下しやすくなる、あるいはバックライトの重量が増加する等の新たな問題が生じてしまう。さらにまた、近年、液晶ディスプレイ装置等の表示装置において、主に動画特性の向上と省電力化を目的としていわゆるローカルディミング制御が導入されつつある。そこで、このローカルディミング制御によって上記の輝度ムラを抑制することも考えられるが、ローカルディミング制御によっても輝度ムラを十分に抑制できないという問題があった。
【０００５】
これに対し、特許文献１には、導光板を用いずに構成されたバックライトが開示されている。特許文献１に記載されるバックライトは、表示パネルの直下（背面）に発光体を設け、発光体から表示パネル面と略平行な方向に光を照射し、その光を反射部によって反射させて表示パネル面側に照射させている。
【先行技術文献】
【特許文献】
【０００６】
【特許文献１】特開２００６−２８６６３９号公報
【発明の概要】
【発明が解決しようとする課題】
【０００７】
ところで、拡散光の性質上、光源付近の光量が他の領域と比較して大きくなる。従って、発光装置等において、光源から照射された光を反射部によって反射させ、表示パネル等に向けて光を照射させる場合、反射部の光源付近で反射する光の光量は、反射部の光源から遠い位置で反射する光の光量と比較して大きくなる。その結果として、発光装置において輝度ムラが発生してしまう。
本発明は、発光装置等において、反射部の光源付近で反射した光に起因する輝度ムラの発生を抑制することを目的とする。さらに、発光装置等において、発光装置等全体に亘って均一に光照射を行うことを目的とする。
【課題を解決するための手段】
【０００８】
かかる目的のもと、本発明は、画像表示を行う表示パネルと、表示パネルの背面に設けられ表示パネルの背面から光を照射する発光装置とを備える表示装置であって、発光装置は、一端側から他端側へと延びて展開されるフレームと、フレームに配置される発光モジュールとを有し、発光モジュールは、一端側から他端側に向けて光を照射する発光部と、発光部のフレーム側に設けられ、発光部から照射される光を表示パネル側に向けて反射する反射部と、発光部の他端側であって反射部よりも一端側に設けられ、マンセル表色系の明度で規定される値がＮ５以上Ｎ７以下である無彩色を呈し、発光部から照射される光の一部を反射する反射調整部とを備えることを特徴とする表示装置である。
【０００９】
このような表示装置において、表示パネルと反射調整部との間に設けられ、発光部から照射されて表示パネル側へと向かう光の一部を透過する透過調整部をさらに備えることを特徴とすることができる。さらに、反射部は、発光部のフレーム側にて、フレームに沿って展開され、発光部から照射される光を表示パネル側に向けて反射する第１の反射部と、発光部のフレーム側にて、発光部から離れるに従って表示パネル側に近づく方向に傾斜し、発光部から照射される光を表示パネル側に向けて反射する第２の反射部とを備えることを特徴とすることができる。そして、発光モジュールは、フレームに複数設けられ、複数の発光モジュールは、一端側から他端側に向かう方向に並べて配置されることを特徴とすることができる。
【００１０】
さらに、このような表示装置において、発光部は、発光素子と、発光素子を取り付ける基台とを有し、基台の発光素子が取り付けられる側の面は、マンセル表色系の明度で規定される値がＮ５以上Ｎ７以下である無彩色を呈し、発光素子から照射される光の一部を反射することを特徴とすることができる。また、基台は、配線パターンが形成された配線基板であり、配線基板の発光素子が取り付けられる側の面が、無彩色を呈することを特徴とすることができる。一方、基台は、樹脂にて構成され、発光素子を載せる樹脂ケースであり、樹脂ケースの表面が無彩色を呈することを特徴とすることができる。
【００１１】
また、他の観点から捉えると、本発明は、一端側から他端側へと延びて展開されるフレームと、フレームに配置される発光モジュールとを有し、発光モジュールは、一端側から他端側に向けて光を照射する発光部と、発光部のフレーム側に設けられ、発光部から照射される光をフレームとは逆側に向けて反射する反射部と、発光部の他端側であって反射部よりも一端側に設けられ、マンセル表色系の明度で規定される値がＮ５以上Ｎ７以下である無彩色を呈し、発光部から照射される光の一部を反射する反射調整部とを備えることを特徴とする発光装置である。
【００１２】
このような発光装置において、発光部を挟んで反射調整部と対向するように設けられ、発光部から照射される光の一部を透過する透過調整部をさらに備えることを特徴とすることができる。また、反射部は、発光部のフレーム側にて、フレームに沿って展開され、発光部から照射される光をフレームと逆側に向けて反射する第１の反射部と、発光部のフレーム側にて、発光部から離れるに従ってフレームから遠ざかる方向に傾斜し、発光部から照射される光をフレームと逆側に向けて反射する第２の反射部とを備えることを特徴とすることができる。さらに、発光モジュールは、フレームに複数設けられ、複数の発光モジュールは、一端側から他端側に向かう方向に並べて配置されることを特徴とすることができる。
【００１３】
さらに、このような発光装置において、発光部は、発光素子と、発光素子を取り付ける基台とを有し、基台の発光素子が取り付けられる側の面は、マンセル表色系の明度で規定される値がＮ５以上Ｎ７以下である無彩色を呈し、発光素子から照射される光の一部を反射することを特徴とすることができる。
【００１４】
さらにまた、他の観点から捉えると、本発明は、一端側から他端側へと延びて展開されるフレームと、フレームに配置される発光モジュールとを有し、発光モジュールは、一端側から他端側に向けて光を照射する発光部と、発光部のフレーム側に設けられ、発光部から照射される光をフレームとは逆側に向けて反射する反射部と、発光部の他端側であって反射部よりも一端側に設けられ、発光部から照射される光に対する反射率が、反射部よりも低く且つ２０％以上４０％以下に設定される低反射部とを備えることを特徴とする発光装置である。
【発明の効果】
【００１５】
本発明によれば、発光装置等において、反射部の光源付近で反射した光に起因する輝度ムラの発生を抑制することが可能となる。
【図面の簡単な説明】
【００１６】
【図１】本実施形態の液晶表示装置の全体構成を示す図である。
【図２】光源装置の構成を説明するための図である。
【図３】発光モジュールの斜視図を示している。
【図４】配線基板について説明するための図である。
【図５】ＬＥＤパッケージを説明するための図である。
【図６】発光モジュールの反射板、調整部材及び吸収部を説明するための図である。
【図７】吸収部の呈する色の設定について説明するための図である。
【図８】発光モジュールにおける光の挙動について説明するための図である。
【図９】吸収部について他の例を説明するための図である。
【図１０】実施形態２が適用される光源装置の全体構成を説明するための図である。
【図１１】他の例の発光モジュールの斜視図である。
【図１２】他の例の発光モジュールに適用されるＬＥＤパッケージを示している。
【図１３】他の例のＬＥＤパッケージを示している。
【発明を実施するための形態】
【００１７】
＜実施形態１＞
以下、添付図面を参照して、本発明の実施形態について詳細に説明する。
図１は本実施形態の液晶表示装置の全体構成を示す図である。
この液晶表示装置は、液晶表示モジュール２０と、この液晶表示モジュール２０の背面側（図１に示す例では下側）に設けられるバックライト装置１０とを備えている。なお、図１には、液晶表示装置を使用する際の縦方向Ｖと横方向Ｈとを矢印で示している。また、本実施の形態の液晶表示装置は、縦方向Ｖよりも横方向Ｈの方が大きい横長形状を有しているが、縦長形状の構成としても良い。
【００１８】
発光装置の一例としてのバックライト装置１０は、液晶表示モジュール２０に向けて光を照射する光源装置１１と、可視光に対し光透過性を有する光学フィルムの積層体からなり、面全体を均一な明るさとするために光を散乱・拡散させる拡散板（板またはフィルム）１２と、前方への集光効果を持たせた回折格子フィルムであるプリズムシート１３、１４とを備えている。また、バックライト装置１０には、必要に応じて、輝度を向上させるための拡散・反射型の輝度向上フィルム１５が備えられる。
【００１９】
一方、液晶表示モジュール２０は、２枚のガラス基板により液晶が挟まれて構成される液晶パネル２１と、この液晶パネル２１の各々のガラス基板に積層され、光波の振動を所定の方向に制限するための偏光板２２、２３とを備えている。更に、この液晶表示モジュール２０には、図示しない駆動用ＬＳＩなどの周辺部材も装着される。
【００２０】
表示パネルの一例としての液晶パネル２１は、図示しない各種構成要素を含んで構成されている。例えば、２枚のガラス基板に、図示しない表示電極、薄膜トランジスタ（ＴＦＴ：Thin Film Transistor）などのアクティブ素子、液晶、スペーサ、シール剤、配向膜、共通電極、保護膜、カラーフィルタ等が設けられている。
なお、バックライト装置１０の構成単位は任意に選択される。例えば、光源装置１１だけの単位にて「バックライト装置」と呼び、拡散板１２、プリズムシート１３、１４、輝度向上フィルム１５などを含まない流通形態もあり得る。
【００２１】
図２は、光源装置１１の構成を説明するための図であり、光源装置１１を図１の上側から見た上面図を示している。本実施の形態では、液晶表示モジュール２０の背面直下に光源装置１１を配置するバックライト構造を採用している。なお、本実施の形態に係るバックライト装置１０は、所謂導光板（ライトガイド）を備えていない。
【００２２】
光源装置１１は、図中手前側に向かって開口するバックライトフレーム３１と、バックライトフレーム３１に収容され、図中手前側に向けて光を出射する発光装置３２と、図示しない外部の電源から発光装置３２に電力を供給する給電ケーブル３３とを備えている。
【００２３】
フレームの一例としてのバックライトフレーム３１は、例えばアルミニウムやマグネシウム、鉄、またはそれらを含む金属合金などで形成された筐体構造を有している。このような筐体構造として、バックライトフレーム３１は、液晶表示モジュール２０の大きさに対応して設けられ、縦方向Ｖ及び横方向Ｈに延びる背面部と、この背面部の四隅を囲う側面部を備えている。そして、その筐体構造の側面部内側には、例えば白色のポリエステルフィルムなどが貼られ、リフレクタとしても機能するようになっている。
【００２４】
発光装置３２は、それぞれが横方向Ｈに沿って延び、且つ、縦方向Ｖに複数（本実施の形態では５つ）配列に配置された発光モジュール４０ａ〜４０ｅを有している。また、図２に示すように、発光モジュール４０ａは最も下側（Ｂｏｔｔｏｍ側）に、発光モジュール４０ｅは最も上側（Ｔｏｐ側）に、それぞれ位置する。そして、図２に示すように、発光モジュール４０ａ、発光モジュール４０ｂ、発光モジュール４０ｃ、発光モジュール４０ｄ、発光モジュール４０ｅの順に隣り合うように、バックライトフレーム３１に配列される。また、本実施形態においては、発光モジュール４０ａ〜４０ｅは、Ｂｏｔｔｏｍ側（一端側に対応）からＴｏｐ側（他端側に対応）に向けて光を出射し、かつ、出射した光を図中手前側に向けて反射するように構成されている。
【００２５】
給電ケーブル３３は、折り処理が可能なフレキシブルフラットケーブルにて構成されており、バックライトフレーム３１の内側であって図中右側の部位に設けられている。そして、給電ケーブル３３の一端側は光源装置１１の外部から受電を行うためのコネクタ（図示せず）に、他端側は発光モジュール４０ａ〜４０ｅに設けられたコネクタ４３（後述）に、それぞれ接続されている。
【００２６】
続いて、発光モジュール４０の構成について発光モジュール４０ａを例にあげて説明する。
図３は発光モジュール４０ａの斜視図を示している。
図３に示すように、発光モジュール４０ａは、横方向Ｈに沿って並べられた複数の発光ダイオード（以下の説明ではＬＥＤと呼ぶ）を有し、縦方向ＶすなわちＢｏｔｔｏｍ側からＴｏｐ側に向けて光を発する発光部４１と、発光部４１が取り付けられて発光部４１を支持するとともに発光部４１の複数のＬＥＤに給電を行う電気経路を具備する配線基板４２と、配線基板４２に設けられ複数のＬＥＤに給電するコネクタ４３とを備える。そして、発光部４１は、横方向Ｈに沿って一列に並べられた４２個のＬＥＤパッケージ５０を有している。そして、各ＬＥＤパッケージ５０は、それぞれ、横方向Ｈに沿って一列に並べられた４個のＬＥＤを備えている。
【００２７】
また、発光モジュール４０ａは、配線基板４２における発光部４１の取り付け面側に固定され、発光部４１から出射された光を拡散板１２側（図１参照）に向けて反射する反射板４４と、隣接する発光モジュール４０（この場合は発光モジュール４０ｂ）に設けられた発光部４１から拡散板１２側（図１参照）に向けて進行する光の光量を調整する調整部材４５と、発光部４１近傍において、反射板４４側で調整部材４５と対向するように設けられ、発光部４１から照射された光の一部を吸収する反射調整部及び低反射部の一例としての吸収部４６とを備える。
【００２８】
図４は、配線基板４２について説明するための図である。ここで、図４（ａ）は配線基板４２の発光部４１（ＬＥＤパッケージ５０）の取り付け面（以下の説明では表面と呼ぶ）を示す正面図、図４（ｂ）は配線基板４２の反射板４４の取り付け面（以下の説明では裏面と呼ぶ）を示す背面図である。
【００２９】
配線基板４２は、絶縁体からなる基部と、基部上に導電体にて構成された電気経路と、基部および電気経路を覆うように設けられたレジスト層とを備えている。なお、この配線基板４２は所謂ＦＰＣ（Flexible printed circuits）で構成されている。
【００３０】
配線基板４２の表面には、Ｂｏｔｔｏｍ側であって横方向Ｈに沿って形成された給電電極群８０と、配線基板４２のＬ字状の突出部側に形成された２つのコネクタ用電極８９と、給電電極群８０よりもＴｏｐ側であって横方向Ｈに沿って形成された表側放熱パッド９１とが設けられている。これら給電電極群８０、コネクタ用電極８９および表側放熱パッド９１は、配線基板４２の表面側に設けられた導電体（金属層）がレジスト層で覆われないことによって露出している。
一方、配線基板４２の裏面には、Ｔｏｐ側であって横方向Ｈに沿って形成された裏側放熱パッド９２が設けられている。裏側放熱パッド９２は、図３等に示す発光モジュール４０ａを構成し、後述の図６（ｂ）に示すように、バックライトフレーム３１に取り付けを行った際に、熱伝導性を有する接着剤を介してバックライトフレーム３１と接触するようになっている。
【００３１】
ここで、給電電極群８０は、図４（ａ）に拡大して示すように、赤用正電極８１、赤用負電極８２、第１緑用正電極８３、第１緑用負電極８４、青用正電極８５、青用負電極８６、第２緑用正電極８７および第２緑用負電極８８の８電極を１組とし、これを横方向Ｈに沿って４２組配置することで構成されている。また、２つのコネクタ用電極８９は、図３等に示す２つのコネクタ４３の取り付けに使用される。
また、表側放熱パッド９１及び裏側放熱パッド９２は、各色のＬＥＤ５２に適宜対応して、配線基板４２に形成される負電極（例えば、第１緑用負電極８４等）と熱的に接続している。
【００３２】
図５は、ＬＥＤパッケージ５０を説明するための図である。ここで、図５（ａ）はＬＥＤパッケージ５０をＴｏｐ側から見た正面図を、図５（ｃ）はＬＥＤパッケージ５０をＢｏｔｔｏｍ側から見た背面図を、図５（ｄ）はＬＥＤパッケージ５０の側面図を、それぞれ示している。また、図５（ｂ）は、ＬＥＤパッケージ５０を構成する板状基板５１をＴｏｐ側から見た正面図を示している。
【００３３】
ＬＥＤパッケージ５０は、矩形状の板状基板５１と、板状基板５１のＴｏｐ側の面（以下の説明では表面と呼ぶ）に並べて取り付けられる４個のＬＥＤ５２とを備える。また、ＬＥＤパッケージ５０は、板状基板５１の表面に形成される白色のレジスト膜５３と、板状基板５１の表面に設けられた４個のＬＥＤ５２のそれぞれを覆う４個の砲弾型のレンズ５４とをさらに備える。そして、４個のＬＥＤ５２は、図５（ａ）において左から、赤色光を発する赤色ＬＥＤ５２Ｒ、緑色光を発する第１緑色ＬＥＤ５２Ｇａ、青色光を発する青色ＬＥＤ５２Ｂ及び緑色光を発する第２緑色ＬＥＤ５２Ｇｂとなっている。このような配置を行うことで、複数のＬＥＤパッケージ５０を一列に並べて発光部４１を構成した際に、赤、緑、青、緑、赤、緑、青、緑、赤、…、の順でＬＥＤ５２が配列されることになる。即ち、一つおきに配列される緑の間に、赤、青が交互に配置される。
【００３４】
板状基板５１の表面には、図５（ｂ）において左から順に、赤用表面正電極６１ａ、赤用ダイパッド７１、赤用表面負電極６２ａ、第１緑用表面正電極６３ａ、第１緑用ダイパッド７２、第１緑用表面負電極６４ａ、青用表面正電極６５ａ、青用ダイパッド７３、青用表面負電極６６ａ、第２緑用表面正電極６７ａ、第２緑用ダイパッド７４、第２緑用表面負電極６８ａが設けられている。そして、図５（ａ）に示すように、赤用ダイパッド７１には赤色ＬＥＤ５２Ｒが、第１緑用ダイパッド７２には第１緑色ＬＥＤ５２Ｇａが、青用ダイパッド７３には青色ＬＥＤ５２Ｂが、第２緑用ダイパッド７４には第２緑色ＬＥＤ５２Ｇｂが、それぞれ取り付けられる。また、赤色ＬＥＤ５２Ｒは赤用表面正電極６１ａおよび赤用表面負電極６２ａと、第１緑色ＬＥＤ５２Ｇａは第１緑用表面正電極６３ａおよび第１緑用表面負電極６４ａと、青色ＬＥＤ５２Ｂは青用表面正電極６５ａおよび青用表面負電極６６ａと、第２緑色ＬＥＤ５２Ｇｂは第２緑用表面正電極６７ａおよび第２緑用表面負電極６８ａと、それぞれ金属ワイヤ（図示せず）を介して電気的に接続される。
【００３５】
一方、板状基板５１のＢｏｔｔｏｍ側の面（以下の説明では裏面と呼ぶ）には、図５（ｃ）において右から順に、赤用裏面正電極６１ｂ、赤用裏面負電極６２ｂ、第１緑用裏面正電極６３ｂ、第１緑用裏面負電極６４ｂ、青用裏面正電極６５ｂ、青用裏面負電極６６ｂ、第２緑用裏面正電極６７ｂ、第２緑用裏面負電極６８ｂが設けられている。なお、本実施の形態に係るＬＥＤパッケージ５０では、板状基板５１の裏面側にレジスト膜の形成を行っておらず、その結果、各電極の全面が外部に露出した状態となっている。そして、これら赤用裏面正電極６１ｂ、赤用裏面負電極６２ｂ、第１緑用裏面正電極６３ｂ、第１緑用裏面負電極６４ｂ、青用裏面正電極６５ｂ、青用裏面負電極６６ｂ、第２緑用裏面正電極６７ｂ、第２緑用裏面負電極６８ｂの横方向Ｈに対応する幅Ｗは、全て一定となっている。
【００３６】
これらのうち、赤用表面正電極６１ａおよび赤用裏面正電極６１ｂは金属スルーホール６１ｃを介して、赤用表面負電極６２ａおよび赤用裏面負電極６２ｂは金属スルーホール６２ｃを介して、それぞれ電気的に接続されている。また、第１緑用表面正電極６３ａおよび第１緑用裏面正電極６３ｂは金属スルーホール６３ｃを介して、第１緑用表面負電極６４ａおよび第１緑用裏面負電極６４ｂは金属スルーホール６４ｃを介して、それぞれ電気的に接続されている。さらに、青用表面正電極６５ａおよび青用裏面正電極６５ｂは金属スルーホール６５ｃを介して、青用表面負電極６６ａおよび青用裏面負電極６６ｂは金属スルーホール６６ｃを介して、それぞれ電気的に接続されている。さらにまた、第２緑用表面正電極６７ａおよび第２緑用裏面正電極６７ｂは金属スルーホール６７ｃを介して、第２緑用表面負電極６８ａおよび第２緑用裏面負電極６８ｂは金属スルーホール６８ｃを介して、それぞれ電気的に接続されている。
【００３７】
ここで、本実施の形態では、第１緑用裏面負電極６４ｂ、青用裏面負電極６６ｂ、第２緑用裏面負電極６８ｂがそれぞれＬ字状の形状を有しており、それぞれの突出部が第１緑用ダイパッド７２、青用ダイパッド７３、第２緑用ダイパッド７４の真裏の位置まで延びている。そして、第１緑用ダイパッド７２および第１緑用裏面負電極６４ｂは金属スルーホール７２ａを介して、また、青用ダイパッド７３および青用裏面負電極６６ｂは金属スルーホール７３ａを介して、さらに、第２緑用ダイパッド７４および第２緑用裏面負電極６８ｂは金属スルーホール７４ａを介して、それぞれ電気的且つ熱的に接続されている。なお、これらの金属スルーホールについては、穴内に金属が充填されていてもよいし、穴壁にめっきが施されていてもよい。
【００３８】
また、板状基板５１は、上述した表面および裏面の他に４つの側面を有しているが、これらのうち、板状基板５１の長辺側の一側面は、発光モジュール４０ａ〜４０ｅを構成する際に、配線基板４２と接触する配線基板取り付け面５１ａとなる。一方、配線基板取り付け面５１ａの反対側の一側面は、発光モジュール４０ａ〜４０ｅを構成する際に、後述の調整部材４５と対向する面となる調整部材対向面５１ｂとなる。また、本実施の形態では、板状基板５１における各金属スルーホールの形成部位に近い側が調整部材対向面５１ｂとなり、各金属スルーホールの形成部位から遠い側が配線基板取り付け面５１ａとなる。
【００３９】
そして、発光モジュール４０ａ〜４０ｅを構成するに際して、図５に示す板状基板５１を備えたＬＥＤパッケージ５０は、配線基板４２の表面に対し、配線基板取り付け面５１ａを対向させた状態で立てて取り付けられる。このとき、ＬＥＤパッケージ５０の板状基板５１に設けられた赤用裏面正電極６１ｂ、赤用裏面負電極６２ｂは、配線基板４２に設けられた赤用正電極８１、赤用負電極８２にそれぞれはんだ付けされる。また、板状基板５１に設けられた第１緑用裏面正電極６３ｂ、第１緑用裏面負電極６４ｂは、配線基板４２に設けられた第１緑用正電極８３、第１緑用負電極８４にそれぞれはんだ付けされる。そして、板状基板５１に設けられた他の電極も、それぞれ、配線基板４２に設けられた対応電極にそれぞれはんだ付けされる。
【００４０】
以上のように、配線基板４２に対して各ＬＥＤパッケージ５０が位置決めされて固定される。このとき、ＬＥＤパッケージ５０の板状基板５１の裏面に設けられた各電極（赤用裏面正電極６１ｂ、赤用裏面負電極６２ｂ、第１緑用裏面正電極６３ｂ、第１緑用裏面負電極６４ｂ、青用裏面正電極６５ｂ、青用裏面負電極６６ｂ、第２緑用裏面正電極６７ｂ、第２緑用裏面負電極６８ｂ）の幅Ｗが同一となっているため、はんだを介してＬＥＤパッケージ５０に加えられる力は横方向Ｈにおいて均等となり、配線基板４２に対するＬＥＤパッケージ５０の位置ずれが抑制されることになる。
【００４１】
なお、発光動作に伴って、各ＬＥＤパッケージ５０に設けられた赤色ＬＥＤ５２Ｒ、第１緑色ＬＥＤ５２Ｇａ、青色ＬＥＤ５２Ｂ及び第２緑色ＬＥＤ５２Ｇｂから熱が発生する。このとき、各ＬＥＤ５２で発生した熱は、各々のダイパッド、金属スルーホール、裏面負電極へと流れる。そして、発生した熱は、配線基板４２の負電極から表側放熱パッド９１を介して反射板４４へと、あるいは裏側放熱パッド９２を介してバックライトフレーム３１へと流れる。
【００４２】
図６は、発光モジュール４０の反射板４４、調整部材４５及び吸収部４６を説明するための図である。なお、図６（ａ）は発光モジュール４０ａを図２と同じ方向から見た上面図を、図６（ｂ）は図６（ａ）に示す発光モジュール４０ａのＡ−Ａ断面図を、それぞれ示している。
【００４３】
反射板４４は、白色を呈する樹脂によって構成されている。本実施形態の反射板４４の材料としては、例えばＰＥＴ（ポリエチレンテレフタレート）樹脂に白色剤として二酸化チタンを混ぜたものを用いることができる。反射部の一例としての反射板４４は、図６（ａ）に示すように、矩形状の第１反射部４４ａと、この第１反射部４４ａの一方の長辺側から傾斜して延設される矩形状の第２反射部４４ｂとを備えている。ここで、第１反射部４４ａは、配線基板４２の発光部４１の取り付け面側において、発光部４１よりもＴｏｐ側であってその長辺が横方向Ｈに沿うように配置される。そして、発光モジュール４０ａでは、配線基板４２と第１反射部４４ａとが対向し、両者が接着にて固定されている。そして、反射板４４は、発光部４１から照射される光を正反射及び拡散反射させて、拡散板１２側に向けて供給する。
【００４４】
図６（ｂ）に示すように、第２反射部４４ｂは、第１反射部４４ａのＴｏｐ側から発光部４１の光の経路を遮る側に傾斜して配置される。即ち、第２反射部４４ｂは、発光部４１から離れるに従って、バックライトフレーム３１から遠ざかるように傾斜している。また、本実施形態の反射板４４は、第１反射部４４ａの面の延長線と第２反射部４４ｂとのなす角度θが約１５°となるように設定されている。なお、この角度θは、１０°以上２０°以下とすることが好ましい。
【００４５】
また、透過調整部の一例としての調整部材４５は、反射板４４と同様に、白色を呈する樹脂によって構成されている。本実施形態の調整部材４５の材料としては、例えばＰＥＴ（ポリエチレンテレフタレート）樹脂に白色剤として二酸化チタンを混ぜたものを用いることができる。そして、調整部材４５は、第２反射部４４ｂよりもＴｏｐ側であってその長辺が横方向Ｈに沿うように配置される。
そして、図６（ｂ）に示すように、調整部材４５は、第２反射部４４ｂのＴｏｐ側から、さらにＴｏｐ側に向けて第１反射部４４ａとほぼ平行に延びて設けられる。このとき、調整部材４５は、発光部４１からの光を適宜調整して透過できるように所定の厚みを有している。そして、調整部材４５のバックライトフレーム３１側（図中下側）には、空間が形成される。即ち、図６（ｂ）に示すように、調整部材４５は、反射板４４からＴｏｐ側に延びた庇のように設けられる。
【００４６】
以上のように構成される調整部材４５は、発光モジュール４０ａ〜４０ｅをバックライトフレーム３１に並べた際に、隣接する発光モジュール４０の発光部４１を覆うように設けられる。例えば、図６（ｂ）に示すように、発光モジュール４０ａの調整部材４５は、隣接する発光モジュール４０ｂの発光部４１を、拡散板１２側から覆うように配置される。さらに、本実施形態の調整部材４５は、一端側４５ａ（Ｂｏｔｔｏｍ側）から他端側４５ｂ（Ｔｏｐ側）に向かうに従って、厚みが薄くなるように設定されている。そして、調整部材４５は、発光部４１から遠ざかるに従って、発光部４１から照射される光を透過しやすくなっている。逆に、調整部材４５は、発光部４１に近づくに従って、発光部４１から照射される光を透過しにくくなっている。
【００４７】
反射調整部及び低反射部の一例としての吸収部４６は、図６（ａ）に示すように、第１反射部４４ａにおいて発光部４１のＢｏｔｔｏｍ側であって、その長辺が横方向Ｈに沿うように設けられる。また、吸収部４６は、図６（ｂ）に示すように、発光部４１の近傍から光照射方向（Ｔｏｐ側）に向けて所定の幅を有して設けられる。本実施形態の吸収部４６は、第１反射部４４ａに灰色（グレー）を呈する塗料等を塗装することで形成されている。また、本実施形態の吸収部４６が呈する色は、マンセル表色系で定義される明度（無彩色）でＮ６に相当する。なお、吸収部４６が呈する色は、マンセル表色系で定義される明度（無彩色）でＮ５以上Ｎ７以下であることが好ましい。以上のように構成される吸収部４６は、発光部４１から照射される光の一部を吸収し、残りを拡散板１２側に向けて反射する。なお、図６に示すように反射板４４上に例えば塗装等によって吸収部４６を形成した場合、反射板４４において吸収部４６に覆われていない部分が反射部として機能する。
【００４８】
なお、吸収部４６は、塗装による形成の他、上記構成を有する部材を第１反射部４４ａに取り付けたものでも構わない。さらに、吸収部４６は、第１反射部４４ａの上に設けられることに限定されない。例えば、第１反射部４４ａをＴｏｐ側に向けて切り詰めて、発光部４１と第１反射部４４ａとの間に隙間を設ける。そして、その隙間に、吸収部４６を設けるようにしても良い。
【００４９】
ここで、本実施形態のバックライト装置１０は、液晶表示モジュール２０に向けて光を照射するものである。このため、発光部４１では、液晶パネル２１にてＲＧＢの色再現が好ましく実現されるように、ＬＥＤ５２の個数や、各ＬＥＤ５２に流す電流量が適宜設定され、赤色光、緑色光及び青色光それぞれの光量のバランスの最適化が成されている。従って、吸収部４６において、特定の光（波長）に対する吸収が顕著である等、光の色によって吸収に偏りがあることは好ましくない。
これに対し、上記のとおり、本実施形態の吸収部４６の呈する色は、無彩色である灰色に設定されている。これにより、吸収部４６は、発光部４１から照射される光の成分（波長分布）は変えないようにしつつ、発光部４１から照射される光の一部を吸収して光量を減少させた後、表示パネル２１に向けて反射することができる。
【００５０】
図７は、吸収部４６の呈する色の設定について説明するための図である。
図７は、吸収部４６の呈する色として、マンセル表色系の明度（無彩色）に規定されるＮ値をＮ２〜Ｎ９まで段階的にそれぞれ設定したバックライト装置１０を発光させて、各段階におけるバックライト装置１０の光量分布を観察した結果である。ここで、バックライト装置１０において吸収部４６が配置される領域の光量が、他の領域と比較して顕著に著しく高くなった状態を「輝線の発生」と呼び、他の領域と比較して著しく低下している状態を「暗線の発生」と呼ぶ。そして、図７では、上記の光量分布の結果として、吸収部４６のＮ値と、輝線及び暗線の発生との関係を示している。なお、図７には、輝線あるいは暗線が発生していない場合を「無し」、発生しているがその程度が小さい場合を「弱」、発生の程度が顕著な場合を「強」、弱と強との中間を「中」と表示している。
【００５１】
図７に示すように、吸収部４６の呈する色を上記のＮ２〜Ｎ３に設定した場合、輝線は発生しなかったものの、暗線が強く生じた。Ｎ４に設定した場合、輝線は生じなかったものの、暗線についてははっきりと判る程度に発生した。Ｎ５に設定した場合、輝線の発生は無く、暗線については発生しているもののその程度小さいものであった。そして、Ｎ６に設定した場合は、輝線及び暗線ともに発生しなかった。
また、Ｎ７に設定した場合、輝線が発生したもののその程度は小さく、暗線については発生しなかった。さらに、Ｎ８に設定した場合、暗線は生じていないものの、輝線ははっきりと判る程度に生じた。そして、Ｎ９に設定した場合、暗線は生じていないものの、輝線の程度が顕著になった。
【００５２】
以上より、上記のＮ値を小さくすると、輝線の程度は小さくなるものの、暗線が強く生じるという結果が得られた。逆に、上記のＮ値を大きくすると、暗線の発生を抑制することができるものの、輝線が強く生じるという結果が得られた。
そこで、本実施形態では、バックライト装置１０において輝線および暗線の発生が抑制されるように、吸収部４６の呈する色をマンセル表色系の明度でＮ５以上Ｎ７以下に設定している。特に、本実施形態においては、吸収部４６の呈する色は、輝線および暗線の発生が見られなかったＮ６に設定している。
【００５３】
本実施の形態に係るバックライト装置１０の発光動作について説明する。
図示しない電源により、給電ケーブル３３を介して発光装置３２を構成する発光モジュール４０ａ〜４０ｅに電圧がかけられる。すると、例えば発光モジュール４０ａでは、発光部４１を構成する各ＬＥＤパッケージ５０に設けられた赤色ＬＥＤ５２Ｒ、第１緑色ＬＥＤ５２Ｇａ、青色ＬＥＤ５２Ｂ、第２緑色ＬＥＤ５２Ｇｂに、それぞれ電流が流れる。その結果、各ＬＥＤパッケージ５０の赤色ＬＥＤ５２Ｒ、第１緑色ＬＥＤ５２Ｇａ、青色ＬＥＤ５２Ｂ、第２緑色ＬＥＤ５２Ｇｂから、Ｒ（赤色）、Ｇ（緑色）、Ｂ（青色）の光がＴｏｐ側に向けて出射される。
【００５４】
そして、各ＬＥＤパッケージ５０からＴｏｐ側に向けて出射されたＲＧＢの光は、バックライトフレーム３１内を進むうちに混色され、白色光となる。そして、混色された白色光は反射板４４によって反射され、拡散板１２側へと向かう。なお、他の発光モジュール４０ｂ〜４０ｅにおいても、同様の手順によって出射、混色された白色光が拡散板１２側へと向かう。そして、拡散板１２に入射した白色光は、拡散板１２でさらに混色及び輝度の均一化がなされた後、プリズムシート１３、１４および輝度向上フィルム１５を透過し、液晶表示モジュール２０に向けて出射される。
なお、本実施形態のバックライト装置１０では、発光部４１から表示パネル２１面と略平行な方向に照射し、反射板４４によって表示パネル２１へ向けて光を照射している。これにより、発光部４１から照射された各色の光が混色するのに十分な光路長さが確保される。従って、例えば発光部４１から拡散板１２までの距離を短くすることができるため、バックライト装置１０の薄型化を実現することが可能となる。
【００５５】
図８は、発光モジュール４０における光の挙動について説明するための図である。
ここでは、発光モジュール４０ｂを例に説明する。なお、説明の便宜上、発光部４１から照射される光のうち、第１反射部４４ａへと向かう光を光Ｂｍ１、第２反射部４４ｂへと向かう光を光Ｂｍ２、発光モジュール４０ａの調整部材４５へと向かう光を光Ｂｍ３、吸収部４６へと向かう光を光Ｂｍ４と呼ぶ。
【００５６】
まず、発光部４１から照射される光のうち、反射板４４へと向かう光Ｂｍ１及び光Ｂｍ２について説明する。
図８に示すように、発光部４１から照射された光Ｂｍ１は、第１反射部４４ａで反射する。このとき、光Ｂｍ１の一部は第１反射部４４ａにて拡散反射して拡散板１２へと進行する。また、光Ｂｍ１の一部は、第１反射部４４ａにて正反射してＴｏｐ側に向けて進行した後、拡散板１２に入射する。
発光部４１から照射された光Ｂｍ２は、第２反射部４４ｂで反射する。このとき、光Ｂｍ２の一部は、第２反射部４４ｂにて拡散反射して拡散板１２へと進行する。また、光Ｂｍ２の一部は、第２反射部４４ｂで正反射してＴｏｐ側に向けて進行した後、拡散板１２へと入射する。
【００５７】
拡散光の性質上、発光モジュール４０ｂにおいて、発光部４１（各ＬＥＤパッケージ５０）に近い側即ちＢｏｔｔｏｍ側の領域では光の強度が高くなり、発光部４１から遠い側即ちＴｏｐ側の領域では光の強度が低くなる。本実施の形態では、この拡散光の性質を考慮して、反射板４４のうち、発光部４１に近い側には発光部４１の光軸方向と反射面がほぼ平行な第１反射部４４ａを位置させ、拡散板１２に向かう反射光量を小さくするようにしている。一方で、発光部４１から遠い側には発光部４１の光軸方向に対して傾斜する第２反射部４４ｂを位置させ、拡散板１２に向かう反射光量を大きくするようにしている。
このような構成を採用することで、発光モジュール４０では、反射板４４による光の反射量の均一化を図ることが可能となる。
【００５８】
図８に示すように、発光部４１から照射された光Ｂｍ３は、発光モジュール４０ａの調整部材４５において、一部が吸収されあるいは反射する。そして、光Ｂｍ３のうち、調整部材４５に吸収されず、調整部材４５で反射しない光は、調整部材４５を透過して拡散板１２へと進む。また、調整部材４５では、発光部４１に近い側（一端側４５ａ）では厚みを厚くして、光の強度が高い発光部４１近傍では光を透過させ難くしている。一方で、調整部材４５では、発光部４１に遠い側（他端側４５ｂ）では厚みを薄くして、発光部４１から遠ざかることにより光の強度が低下した分を補うように、光を透過させ易くしている。
【００５９】
これにより、本実施形態の発光モジュール４０では、発光部４１が設けられた領域の光量が他の領域と比べて、著しく大きくなることを防止している。さらに、調整部材４５は、発光部４１から入射する光を全て吸収あるいは反射して遮らないように構成されている。このため、本実施形態の発光モジュール４０では、調整部材４５を設けることによって、調整部材４５が配置される領域の光量が、他の領域と比較して著しく小さくなることが防止される。その結果、バックライト装置１０から液晶表示モジュール２０に照射される光の輝度ムラの発生を抑制している。
【００６０】
図８に示すように、発光部４１から照射された光Ｂｍ４は、吸収部４６において、一部が吸収される。そして、光Ｂｍ４のうち、吸収部４６にて吸収されない光は、吸収部４６で反射して拡散板１２側へと入射する。
上述のとおり、拡散光の性質上、発光部４１付近の光量は、他の領域と比較して大きくなる。さらに、発光部４１から照射されて第１反射部４４ａの近い位置に入射する光ほど、その入射角が小さくなるため、第１反射部４４ａで反射した光の反射角も小さくなる。従って、第１反射部４４ａにおいて発光部４１に近い側で反射した光は、例えば拡散板１２における発光部４１の直上付近に集中しやすくなる。そのため、発光部４１の直上付近の光量は、他の領域と比較して顕著になりやすい。
【００６１】
これに対して、本実施形態の発光モジュール４０では、吸収部４６を発光部４１の発光方向側（Ｔｏｐ側）であって発光部４１の近傍に設けることにより、発光部４１から照射される光の光量を調整した上で、拡散板１２側へと反射させている。これにより、反射板４４側で反射した光において、発光部４１付近の光量が他の領域と比べて、著しく大きくなることを防止している。さらに、吸収部４６は、上述したように、発光部４１から入射する光を全て吸収しないように構成されている。従って、本実施形態の発光モジュール４０では、吸収部４６が設けられる領域の光量が、他の領域と比較して著しく小さくなることを防止している。その結果、バックライト装置１０から液晶表示モジュール２０に照射される光の輝度ムラの発生を抑制している。
【００６２】
以上のようにして、各発光モジュール４０ａ〜４０ｅでは、反射板４４及び調整部材４５を備えることによって、バックライト装置１０全体としての輝度ムラを抑制し、表示パネル２１へ向けて好適に光の照射を行っている。さらに、本実施形態のバックライト装置１０は、発光モジュール４０に反射板４４、調整部材４５及び吸収部４６を設けることによって、必ずしも導光板（ライトガイド）を備える必要がなくなる。従って、バックライト装置１０の軽量化を実現することができる。
【００６３】
ところで、マンセル表色系の明度は、可視光の反射率と対応づけが成されている。ＪＩＳ  Ｚ  ８７２１−１９９３（色の表示方法−三属性による表示）によれば、マンセル系表色系の明度と可視光（３８０〜７８０ｎｍ）の反射率との関係は、例えば、Ｎ４＝１２％、Ｎ５＝１９％、Ｎ６＝２９％、Ｎ７＝４２％、Ｎ８＝５８％と定義されている。
これに基づいて、吸収部４６における可視光の反射率を設定し、上述のように発光モジュール４０において輝度ムラの発生を抑制することができる。図７を参照しながら説明したように、吸収部４６の呈する色は、マンセル表色系の明度でＮ５以上Ｎ７以下であることが好ましい。これは、上記のとおり、吸収部４６の可視光の反射率を１９％以上４２％以下に設定することに相当する。
【００６４】
図９は、吸収部について他の例を説明するための図である。
なお、図９に示す吸収部１４６が設けられる位置等の基本構成は、図６を参照しながら説明した吸収部４６と同様である。
図９に示す反射調整部及び低反射部の一例としての吸収部１４６は、白色部１４７と黒色部１４８とを備えている。白色部１４７は、第１反射部４４ａに白色を呈する塗料等を塗布して形成される。さらに、白色部１４７上に、例えば黒色を呈する塗料等により黒色部１４８が形成される。そして、黒色部１４８は、所定の形状を有するドット（点）が所定の間隔にて複数形成されることによって構成される。
【００６５】
そして、この例では、吸収部１４６の表面側における白色部１４７の面積比率が３０％、黒色部１４８の面積比率が７０％と設定されている。ここで、可視光の反射率は、白色の面積比率に対応する。従って、図９に示す吸収部１４６における可視光の反射率は、白色部１４７の面積比率でもある３０％ということになる。これは、マンセル表色系の明度においてＮ６に相当する。
そして、吸収部１４６は、発光部４１から反射板４４側へと向かう光の一部を吸収して光量を低下させ、残りの光（この場合は発光部４１からの入射量に対して３０％）を拡散板１２側に向けて反射する。このようにして、発光モジュール４０に吸収部１４６を設けることによっても、光源装置１１における輝度ムラの発生を抑制することができる。
【００６６】
＜実施形態２＞
図１０は、実施形態２が適用される光源装置１１の全体構成を説明するための図である。図１０（ａ）は実施形態２のバックライト装置１０の全体構成図を、図１０（ｂ）は（ａ）に示すＢ−Ｂ断面を示す図である。
なお、実施形態１と同様な部材等については同一の符号を付して、その詳細な説明を省略する。
図１０（ａ）に示すように、実施形態２のバックライト装置１０における発光装置３２は、それぞれが横方向Ｈに沿って延び、且つ、縦方向Ｖに複数（本実施の形態では４つ）配列に配置された発光モジュール４０ａ〜４０ｄを有している。また、発光モジュール４０ａは最も下側（Ｂｏｔｔｏｍ側）に、発光モジュール４０ｄは最も上側（Ｔｏｐ側）に、それぞれ位置する。そして、図１０（ａ）に示すように、発光モジュール４０ａ、発光モジュール４０ｂ、発光モジュール４０ｃ、発光モジュール４０ｄの順に隣り合うように、バックライトフレーム３１に配列される。なお、実施形態２における発光モジュール４０ａ〜４０ｄは、それぞれ図３に示すものとほぼ同様の構成を有している。
【００６７】
そして、発光モジュール４０ａ及び発光モジュール４０ｂは、各々の発光部４１の発光方向がＢｏｔｔｏｍ側からＴｏｐ側に設定され、反射板４４によって液晶パネル２１側へと光を照射する。一方、発光モジュール４０ｃ及び発光モジュール４０ｄは、各々の発光部４１の発光方向がＴｏｐ側からＢｏｔｔｏｍ側に設定され、反射板４４によって液晶パネル２１側へと光を照射するものである。
このように、実施形態２の光源装置３２では、各発光モジュール４０における発光部４１の光の照射方向を、バックライトフレーム３１の縦方向Ｖの両端側から中央部に向けることによって、液晶パネル２１側へ向けて効率良く光照射を行うことができる。
【００６８】
図１０（ｂ）に示すように、実施形態２の発光装置３２では、各発光モジュール４０における反射板４４の発光部４１付近には、それぞれ吸収部４６が設けられている。これにより、実施形態２の発光装置３２では、各発光モジュール４０において、発光部４１から反射板４４側に向けて進行する光のうち、発光部４１付近にて反射する光の光量を調整しながら、拡散板１２側へと反射することができる。従って、発光装置３２全体としての輝度ムラが抑制され、発光装置３２によって表示パネル２１へ向けて均一な光を照射することが可能となる。
【００６９】
なお、実施形態１、２において、吸収部４６の呈する色をマンセル表色系の明度で設定しているが、マンセル表色系の明度に規定されるＮ５以上Ｎ７以下に対応する色であれば、他の表色系によって吸収部４６の呈する色を設定しても構わない。
【００７０】
なお、実施の形態１、２では、ＲＧＢの３色のＬＥＤ５２を用いて白色光を生成するように構成していたが、これに限られるものではない。例えば全てのＬＥＤ５２を青色発光ダイオードで構成し、レンズ５４に青色光を黄色光に変換する蛍光体を添加しておくことにより、白色光を生成するようにしてもよい。また、レンズ５４に青色光を緑色光および赤色光に変換する蛍光体を添加するようにしてもよい。さらに、例えば全てのＬＥＤ５２を紫外発光ダイオードで構成し、レンズ５４に紫外光を青色光、緑色光及び赤色光に変換する蛍光体を添加する構成を採用してもよい。
【００７１】
また、実施の形態１、２では、ＬＥＤパッケージ５０を構成する各ＬＥＤ５２に個別にレンズ５４を形成するようにしていたが、これに限られるものではなく、例えばＬＥＤパッケージ５０を構成する各ＬＥＤ５２に一括してレンズ５４を形成するようにしてもかまわない。
【００７２】
次に、図１１〜図１３を参照しながら、発光モジュール４０の構成について他の例を説明する。なお、以下の説明では、発光モジュール４０ａを一例として用いる。
図１１は、発光モジュール４０ａの斜視図である。図１２は、この例の発光モジュール４０に適用されるＬＥＤパッケージ５０を示している。また、図１３は、図１２に示すＬＥＤパッケージ５０に対する他の例を示している。
なお、上記までに説明した部材等と同様のものについては同一の符号を付して、その詳細な説明を省略する。
【００７３】
図１１に示す発光モジュール４０ａの基本構成は、実施形態１において説明したものと略同じである。ただし、発光部４１の反射板４４と対向する側が灰色（グレー）を呈するように構成されている。具体的には、ＬＥＤパッケージ５０において、板状基板５１のＬＥＤ５２が取り付けられる側の面が灰色を呈するように構成されている。
図１２（ａ）及び（ｂ）に示すように、この例におけるＬＥＤパッケージ５０は、板状基板５１のＬＥＤ５２が取り付けられる側の面に低反射膜１５３が形成されている。低反射膜１５３は、上述のように灰色を呈しており、マンセル表色系で定義される明度（無彩色）でＮ６に相当する。なお、低反射膜１５３は、マンセル表色系で定義される明度（無彩色）でＮ５以上Ｎ７以下であることが好ましい。なお、この例では、板状基板５１及び低反射膜１５３が基台として機能する。
【００７４】
以上のように構成される板状基板５１の低反射膜１５３は、発光素子の一例としてのＬＥＤ５２から照射された光のうち、板状基板５１の低反射膜１５３へと進行する光の一部を吸収し、残りを反射板４４側に向けて反射する。このようにＬＥＤパッケージ５０を構成することで、発光モジュール４０ａにおいて、発光部４１付近の輝度が他の領域と比較して著しく高くなることを抑制している。
【００７５】
続いて、ＬＥＤパッケージ５０の他の例を説明する。
図１３（ａ）は、ＬＥＤパッケージ５０の全体図である。図１３（ｂ）は、図１３（ａ）に示すＬＥＤパッケージ５０のＣ−Ｃ断面の断面図である。
図１３（ａ）及び（ｂ）に示すように、この例におけるＬＥＤパッケージ５０は、４個のＬＥＤ５２（赤色ＬＥＤ５２Ｒ、第１緑色ＬＥＤ５２Ｇａ、青色ＬＥＤ５２Ｂ及び第２緑色ＬＥＤ５２Ｇｂ）と、凹部５３０を有するとともに、これら４個のＬＥＤ５２を凹部５３０の内側に収容する樹脂ケース５１０を備えている。また、図１３（ｂ）に示すように、樹脂ケース５１０の凹部５３０を埋めるように、ＬＥＤ５２の発光光に対して透明な封止樹脂５４０を設けている。封止樹脂５４０を設けることにより、凹部５３０の内側に配置される４個のＬＥＤ５２を例えば湿気などから保護している。
【００７６】
基台の一例としての樹脂ケース５１０は、灰色を呈するように構成されている。この例では、樹脂ケース５１０の材料となる樹脂に灰色の顔料等を添加することで、樹脂ケース５１０を灰色に呈色させている。また、樹脂ケース５１０が呈する色は、マンセル表色系で定義される明度（無彩色）でＮ６に相当する。なお、樹脂ケース５１０が呈する色は、マンセル表色系で定義される明度（無彩色）でＮ５以上Ｎ７以下であることが好ましい。
なお、樹脂ケース５１０のＬＥＤ５２が取り付けられる側の面が上述のように灰色を呈していれば良い。例えば、任意の色を呈する材料を用いて樹脂ケース５１０を成型したのち、樹脂ケース５１０の表面を灰色に塗装する、あるいは灰色を呈する膜（層）を樹脂ケース５１０の表面に形成することでも構わない。この場合には、樹脂ケース５１０及びその表面に形成される灰色の膜（層）が基台として機能する。
【００７７】
また、ＬＥＤパッケージ５０は、樹脂ケース５１０に保持されるリードフレーム５２０を有している。そして、各ＬＥＤ５２は、それぞれに対応するリードフレーム５２０に電気的及び機械的に接続している。また、リードフレーム５２０の一端は、樹脂ケース５１０の外部に突出している。ＬＥＤパッケージ５０を配線基板４２に取り付ける際には、このリードフレーム５２０と、配線基板４２の給電電極群８０（図４参照）とを電気的及び機械的に接続する。
実際にＬＥＤパッケージ５０を発光させるには、配線基板４２に給電することにより、リードフレーム５２０を介して各ＬＥＤ５２に電流を流す。これにより、ＬＥＤパッケージ５０における各ＬＥＤ５２が発光する。
【００７８】
ＬＥＤパッケージ５０において、樹脂ケース５１０は、各ＬＥＤ５２から照射された光のうち、樹脂ケース５１０側へと進行する光の一部を吸収し、残りを反射板４４側に向けて反射する。このようにＬＥＤパッケージ５０を構成することで、発光モジュール４０ａにおいて、発光部４１付近の輝度が他の領域と比較して著しく高くなることを抑制している。
【符号の説明】
【００７９】
１０…バックライト装置、２０…液晶表示モジュール、４０…発光モジュール、４１…発光部、４４…反射板、４５…調整部材、４６…吸収部
【図１】
2010108900.tif 000003
【図２】
2010108900.tif 000004
【図３】
2010108900.tif 000005
【図４】
2010108900.tif 000006
【図５】
2010108900.tif 000007
【図６】
2010108900.tif 000008
【図７】
2010108900.tif 000009
【図８】
2010108900.tif 000010
【図９】
2010108900.tif 000011
【図１０】
2010108900.tif 000012
【図１１】
2010108900.tif 000013
【図１２】
2010108900.tif 000014
【図１３】
2010108900.tif 000015